(57)【要約】【課題】床面に対して移動可能であって、しかもトイレとしての使用時及び移動時の安定性が高い折り畳み可能なポータブルトイレを提供すること。【解決手段】ポータブルトイレ１０は、トイレ本体部４０と脚体部２０とを備える。脚体部２０は、左右一対の前脚部２１と、左右一対の後脚部２２とを有し、前脚部２１の下部と後脚部２２の下部とが離間した開脚状態から、前脚部２１の下部と後脚部２２の下部とが接近した閉脚状態へ折り畳み可能である。各脚の下端には、開脚状態での床面との接地面である第１接地面３５と、閉脚状態での床面との接地面である第２接地面３６とを有する。ポータブルトイレ１０には、床面に対してポータブルトイレ１０を移動させるための車輪８１が設けられている。開脚状態での車輪８１の下端位置は、閉脚状態での車輪８１の下端位置よりも、床面から上方へ離れた位置である。【選択図】図１
2018171355.tif 000002
【特許請求の範囲】
【請求項１】
トイレ本体部と脚体部とを備えるポータブルトイレであって、
前記トイレ本体部は、バケツを受けることが可能な受け部と、前記受け部の上方に配置される便座とを有し、
前記脚体部は、左右一対の前脚部と、左右一対の後脚部とを有し、前記前脚部の下部と前記後脚部の下部とが離間した開脚状態から、前記前脚部の下部と前記後脚部の下部とが接近した閉脚状態へ折り畳み可能であり、
各脚の下端に、前記開脚状態での床面との接地面である第１接地面と、前記閉脚状態での前記床面との接地面である第２接地面とを有し、
前記床面に対して前記ポータブルトイレを移動させるための車輪が設けられており、
前記開脚状態での前記車輪の下端位置が、前記閉脚状態での前記車輪の下端位置よりも、前記床面から上方へ離れた位置となることを特徴とするポータブルトイレ。
【請求項２】
前記車輪の回転方向が左右方向である、請求項１に記載のポータブルトイレ。
【請求項３】
前記閉脚状態において前記前脚部と前記後脚部とで自立可能であり、かつ前記自立した状態において前記車輪が前記床面から離間している、請求項１又は２に記載のポータブルトイレ。
【請求項４】
前記車輪は、前記脚体部のうち前記後脚部の下部に設けられている、請求項１〜３のいずれか一項に記載のポータブルトイレ。
【請求項５】
前記車輪が取り付けられている取付け部が、前記ポータブルトイレに対して着脱可能である、請求項１〜４のいずれか一項に記載のポータブルトイレ。
【請求項６】
前記脚体部は、第１脚部と、前記第１脚部に対する取付位置を調整可能な第２脚部と、を備え、
前記第２脚部の前記第１脚部への取付位置により前記脚体部の長さを調整可能であり、
前記取付け部は、前記第２脚部である、請求項５に記載のポータブルトイレ。
【請求項７】
前記脚体部は、第１脚部と、前記第１脚部に対する取付位置を調整可能な第２脚部と、を備え、
前記第２脚部の前記第１脚部への取付位置により前記脚体部の長さを調整可能であり、
前記取付け部は、前記第２脚部に取り付けられている、請求項５に記載のポータブルトイレ。
【請求項８】
前記取付け部は、前記ポータブルトイレに対して装着された状態において、前記第２接地面よりも上方において前後方向の外側に向けて突出する突出部を有し、
前記突出部によって前記車輪の上方が覆われるように、前記突出部に前記車輪が設けられている、請求項５〜７のいずれか一項に記載のポータブルトイレ。
【請求項９】
長尺形状の肘掛け本体を備え、
前記肘掛け本体は、使用者が肘掛けとして使用可能に前後方向に延びる肘掛け状態から、先端部が下方に位置するように延びる収納状態へ、前記脚体部に対して回動可能に支持されており、
前記取付け部は、前記突出部の上面が下方へ凸となる湾曲した形状を有し、
前記肘掛け本体が前記収納状態にあって前記脚体部が前記閉脚状態にある状態から前記開脚状態に変更される過程において、前記突出部の上面と前記肘掛け本体の先端部とが接触しながら前記閉脚状態から前記開脚状態に変更されることにより、前記突出部によって前記肘掛け本体の前記収納状態から前記肘掛け状態への回動が補助される、請求項８に記載のポータブルトイレ。
【発明の詳細な説明】
【技術分野】
【０００１】
本発明は、ポータブルトイレに関し、詳しくは、開脚状態から閉脚状態に折り畳み可能なポータブルトイレに関する。
【背景技術】
【０００２】
従来、ポータブルトイレとしては、不使用時に折り畳むことが可能な折り畳み式のポータブルトイレが提案されている（例えば、特許文献１参照）。特許文献１に記載のポータブルトイレは、開脚状態では、前後左右に設けられた４本の脚で便座本体を支持し、閉脚状態では、便座本体及び前脚が、背もたれ部及び後脚に対して前後方向で重なるように、バケツを取り外した状態で折り畳まれる。この特許文献１に記載のポータブルトイレは、折り畳み状態では後脚で自立するようになっている。
【先行技術文献】
【特許文献】
【０００３】
【特許文献１】特許第５８７２００３号公報
【発明の概要】
【発明が解決しようとする課題】
【０００４】
ポータブルトイレは重量が大きく、使用者や介助者が一人ではポータブルトイレを容易に移動させることが困難である。また、ポータブルトイレ全体を使用者や介助者が持ち上げるか、あるいは引き摺りながら移動させると、使用者や介助者の腕や腰に負担が掛かったり、床面に傷が付いたりすることが懸念される。
【０００５】
そこで、折り畳み式のポータブルトイレにおいて、ポータブルトイレを折り畳んだ状態のまま容易に移動可能なように、脚体部にキャスタ機構を設けることが考えられる。例えば特許文献１に記載のポータブルトイレでは、後脚の下端部に設けられた接地部材１−２ａの後端に車輪を取り付けることが考えられる。この場合、折り畳んだ状態のポータブルトイレの車輪と床面とを接地させて車輪を転がすことにより、ポータブルトイレを折り畳んだ状態のまま、車輪の回転方向にポータブルトイレを移動させることが可能となる。
【０００６】
しかしながら、特許文献１に記載のポータブルトイレにおいて、接地部材１−２ａの後端に車輪を取り付けた場合、トイレとしての使用時にも、折り畳み時と同じように車輪と床面とが干渉しやすい。そのため、トイレとしての使用時の安定性に劣ることが懸念される。一方、接地面からできるだけ離れた高い位置に車輪を取り付けると、トイレとしての使用時には車輪が床面と干渉しにくくなるものの、ポータブルトイレの移動時に、車輪を床面に接地させるためにポータブルトイレを大きく傾倒させる必要が生じてしまう。この場合、ポータブルトイレの移動時にポータブルトイレが倒れやすくなり、安定性に劣ることが懸念される。特にポータブルトイレは重く、移動の際に大きく傾倒させると使用者に重くのしかかり、使用者にかかる負荷が大きくなる上、バランスを失いやすいことが懸念される。
【０００７】
本発明は上記課題に鑑みなされたものであり、床面に対して移動可能であって、しかもトイレとしての使用時及び移動時の安定性が高い折り畳み可能なポータブルトイレを提供することを一つの目的とする。
【課題を解決するための手段】
【０００８】
上記課題を解決すべく、本発明のポータブルトイレは、トイレ本体部と脚体部とを備える。前記トイレ本体部は、バケツを受けることが可能な受け部と、前記受け部の上方に配置される便座とを有し、前記脚体部は、左右一対の前脚部と、左右一対の後脚部とを有し、前記前脚部の下部と前記後脚部の下部とが離間した開脚状態から、前記前脚部の下部と前記後脚部の下部とが接近した閉脚状態へ折り畳み可能であり、各脚の下端に、前記開脚状態での床面との接地面である第１接地面と、前記閉脚状態での前記床面との接地面である第２接地面とを有し、前記床面に対して前記ポータブルトイレを移動させるための車輪が設けられており、前記開脚状態での前記車輪の下端位置が、前記閉脚状態での前記車輪の下端位置よりも、前記床面から上方へ離れた位置となることを特徴とする。
【０００９】
本発明の折り畳み式のポータブルトイレには、床面に対してポータブルトイレを移動させるための車輪が設けられているため、車輪の回転を利用してポータブルトイレを容易に移動させることができる。また、開脚状態での車輪の下端位置が、閉脚状態での車輪の下端位置よりも、床面から上方へ離れた位置となるため、トイレとしての使用時に車輪を床面に干渉しにくくすることができる。これにより、トイレとしての使用時の安定性を高めることができる。また、折り畳み状態では、車輪を床面に接地させやすいため、ポータブルトイレが倒れることを抑制しながら、折り畳んだ状態のまま安定にポータブルトイレを移動させることができる。
【００１０】
上記構成において、前記車輪の回転方向が左右方向であるものとしてもよい。折り畳み状態のポータブルトイレは、例えばベッドと壁との間や、家具と家具との間に存在する狭い隙間に収納されることがある。本構成では、車輪の回転方向が左右方向であるため、ポータブルトイレを折り畳んだ状態で左右方向に移動させることができる。したがって、車輪の回転を利用してポータブルトイレを床面に対して移動させながら、狭い隙間の前方からそのままポータブルトイレを収納することができる。また、折り畳み状態において、車輪が床面に接したとしてもポータブルトイレが前後方向に動かないため、折り畳んだ状態でポータブルトイレがバランスを崩しにくくすることができる。
【００１１】
上記構成では、前記閉脚状態において前記前脚部と前記後脚部とで自立可能であり、かつ前記自立した状態において前記車輪が前記床面から離間しているようにしてもよい。この場合、ポータブルトイレが自立している状態では車輪が床面から浮いているため、自立した状態のポータブルトイレが不用意に移動したり倒れたりしないようにすることができる。これにより、ポータブルトイレが自立している状態での安定性を高めることができる。
【００１２】
上記構成において、前記車輪は、前記脚体部のうち前記後脚部の下部に設けられているものとしてもよい。車輪を後脚部の下部に設けることにより、車輪が、トイレの使用者や介助者に干渉しにくくすることができる。
【００１３】
上記構成において、前記車輪が取り付けられている取付け部が、前記ポータブルトイレに対して着脱可能であるものとしてもよい。この構成によれば、ポータブルトイレに対して車輪を容易に取り外し及び取り付け可能であるため、ポータブルトイレを車輪付きにするか、それとも車輪なしにするかを、使用者のニーズに応じて選択可能にすることができる。また、車輪が取り付けられている取付け部以外については、車輪の有無に関わらず同一の構成とすることができる。よって、製造コストの増大を抑えながら、多様なポータブルトイレを提供することができる。
【００１４】
上記構成において、前記脚体部は、第１脚部と、前記第１脚部に対する取付位置を調整可能な第２脚部と、を備え、前記第２脚部の前記第１脚部への取付位置により前記脚体部の長さを調整可能であり、前記取付け部は、前記第２脚部であるものとしてもよい。この構成では、脚体部の長さ調整用の部材に車輪が取り付けられているため、脚体部の長さ調整を行っても、開脚状態での車輪の下端位置が、閉脚状態のときよりも床面から上方へ離れた位置となる関係を保持することができる。また、脚体部の長さ調整用の部材に車輪が直接取り付けられているため、車輪取付け用の部材を別途設けなくて済む。よって、部品数をできるだけ少なくすることができる。
【００１５】
上記構成において、前記脚体部は、第１脚部と、前記第１脚部に対する取付位置を調整可能な第２脚部と、を備え、前記第２脚部の前記第１脚部への取付位置により前記脚体部の長さを調整可能であり、前記取付け部は、前記第２脚部に取り付けられているものとしてもよい。この構成においても、脚体部の長さ調整を行っても、開脚状態での車輪の下端位置が、閉脚状態のときよりも床面から上方へ離れた位置となる関係を保持することができる。また、脚体部の長さ調整用の部材とは別の部材に車輪が取り付けられているため、長さ調整用の部材に対して車輪を後付けすることができる。
【００１６】
上記構成では、前記取付け部は、前記ポータブルトイレに対して装着された状態において、前記第２接地面よりも上方において前後方向の外側に向けて突出する突出部を有し、前記突出部によって前記車輪の上方が覆われるように、前記突出部に前記車輪が設けられているものとしてもよい。この構成によれば、突出部によって車輪の上方が覆われているため、使用者や介助者が足を車輪に引っ掛けたり車輪に物が当たったりしにくくすることができる。また、突出部によって車輪が外部から目立ちにくく、外観も良好である。
【００１７】
上記構成において、長尺形状の肘掛け本体を備え、前記肘掛け本体は、使用者が肘掛けとして使用可能に前後方向に延びる肘掛け状態から、先端部が下方に位置するように延びる収納状態へ、前記脚体部に対して回動可能に支持されており、前記取付け部は、前記突出部の上面が下方へ凸となる湾曲した形状を有し、前記肘掛け本体が前記収納状態にあって前記脚体部が前記閉脚状態にある状態から前記開脚状態に変更される過程において、前記突出部の上面と前記肘掛け本体の先端部とが接触しながら前記閉脚状態から前記開脚状態に変更されることにより、前記突出部によって前記肘掛け本体の前記収納状態から前記肘掛け状態への回動が補助されるものとしてもよい。
【００１８】
取付け部の上面が下方へ凸の湾曲した形状を有するため、ポータブルトイレを閉脚状態から開脚状態に変更させる際に、収納状態の肘掛け本体が脚体部に干渉しないようにすることができる。これにより、ポータブルトイレの折り畳み状態から使用状態への変更をスムーズに行うことができる。また、折り畳み状態から使用状態への変更の際には、肘掛け本体の先端部が突出部の上面に接触しながら閉脚状態から開脚状態となるため、肘掛け本体を湾曲形状に沿って上方へ回動させることができる。これにより、開脚動作に付随させて、肘掛け本体の収納状態から肘掛け状態への変更を補助することができる。
【図面の簡単な説明】
【００１９】
【図１】開脚状態のポータブルトイレにおいて座部を上げ、左側の肘掛け本体を跳ね上げた状態を示す斜視図。
【図２】開脚状態のポータブルトイレにおいて便座を上げた状態を示す斜視図。
【図３】開脚状態のポータブルトイレの左側面図。
【図４】開脚状態のポータブルトイレを左斜め後方から見た斜視図。
【図５】折り畳み状態のポータブルトイレを左斜め後方から見た斜視図。
【図６】折り畳み状態のポータブルトイレの左側面図。
【図７】後脚部の第２脚部の斜視図。
【図８】閉脚状態から開脚状態への変更時及びトイレ移動時の車輪と床面との位置関係を示す図。
【図９】閉脚状態から開脚状態へ変更される際の突出部と肘掛け本体との位置関係を示す図。
【図１０】取付け部が第２脚部に取り付けられた別例のポータブルトイレの後脚部の下部を拡大した左側面図。
【図１１】車輪が連結部に設けられた別例のポータブルトイレを後方から見た図。
【図１２】車輪が前脚部に設けられた別例のポータブルトイレの左側面図。
【図１３】車輪が脚体部に内蔵された別例のポータブルトイレの下部を拡大した左側面図。
【図１４】車輪が脚体部に内蔵された別例のポータブルトイレにおける後脚部の下部を拡大して示す縦断面図。
【発明を実施するための形態】
【００２０】
以下、本実施形態のポータブルトイレについて図面を参照しつつ説明する。なお、以下の説明では、便宜上、便座に腰掛けた使用者から見た方向を基準にして前後、左右及び上下を示している。図中に示すＦ，Ｂ，Ｒ，Ｌは、それぞれ、ポータブルトイレの前方、後方、右側、左側を表す。本実施形態のポータブルトイレは、例えば介護用であり、ベッド脇等の室内に置かれて用いられる。なお、このポータブルトイレは、介護用トイレや簡易トイレ等とも称される。ポータブルトイレは折り畳み可能であり、開脚した状態で使用され、不使用時には折り畳んでコンパクトにすることが可能である。
【００２１】
ポータブルトイレ１０は、図１〜図６に示すように、トイレ本体部４０と、トイレ本体部４０を支持する脚体部２０と、を備える。ポータブルトイレ１０は、全体として木製である。なお、以下において、各部材を構成する材料について特に説明がない場合には木製である。また、以下においては、特に説明がない場合、開脚状態のポータブルトイレ１０の構成をいうものとする。
【００２２】
≪脚体部２０≫
脚体部２０は、左右一対の前脚部２１と、左右一対の後脚部２２と、を備える。
【００２３】
＜前脚部２１＞
前脚部２１は、長尺板材からなる前脚本体である第１脚部２３と、第１脚部２３に取り付けられる第２脚部２４と、を備えている。第１脚部２３は、前方に傾斜するように形成されており、互いの第１脚部２３の板面を向き合わせた状態で左右に離間して配置されている。第１脚部２３の下端よりも上方であって、トイレ本体部４０の下方には、左右の第１脚部２３を連結する板状の連結部２５が配設されている。
【００２４】
第２脚部２４は、長尺板材からなり、各前脚部２１の下部において、第１脚部２３に対して着脱可能に取り付けられている。第２脚部２４は、第１脚部２３に対する取付位置を調整可能になっている。この第２脚部２４の第１脚部２３に対する取付位置を調整することにより、前脚部２１の長さを調整することが可能である。本実施形態では、第１脚部２３の下部の板面に、複数個のネジ孔２６が上下に並べて所定間隔で設けられている。これら複数個のネジ孔２６のいずれかに対して、第２脚部２４の板面に形成されたネジ孔２７が重なるように、かつトイレ本体部４０が所望の高さになるように、第２脚部２４を第１脚部２３の外側から位置決めした上でネジ止め等することにより前脚部２１の長さが調整される。
【００２５】
＜後脚部２２＞
後脚部２２は、長尺板材からなる後脚本体である第１脚部２８と、第１脚部２８に取り付けられる第２脚部２９と、を備えている。第１脚部２８は、後方へ傾斜するように形成されており、互いの第１脚部２８の板面を向き合わせた状態で左右に離間して配置されている。後脚部２２の各第１脚部２８は、その上端部が、前脚部２１の各第１脚部２３の高さ方向の中間部に回動軸３０を介して連結されている。これにより、脚体部２０は、前脚部２１の下部と後脚部２２の下部とが離間した開脚状態と、前脚部２１の下部と後脚部２２の下部とが接近した閉脚状態とを変更可能になっている。閉脚状態では、前脚部２１の下部と後脚部２２の下部とが接近して、前脚部２１と後脚部２２とが前後に並んで略平行に配置される（図６参照）。閉脚状態では、前脚部２１の下部及び後脚部２２の下部は上下方向に延びており、ポータブルトイレ１０は折り畳まれた状態となる。
【００２６】
第１脚部２８の下端よりも上方であってトイレ本体部４０の下方には、左右の第１脚部２８を連結する板状の連結部３１が配設されている。連結部３１の板面は後方へ傾斜している。具体的には、連結部３１は、連結部３１の板面の傾斜方向が第１脚部２８の延びる方向となるように左右の第１脚部２８の間に架け渡されている。
【００２７】
図３に示すように、第１脚部２８は、下側部分２８ａと上側部分２８ｂとを有しており、これらが弧状でつながっている。具体的には、第１脚部２８は、閉脚状態で側方視したとき、下側部分２８ａは直線的であり、上側部分２８ｂは上方へ凸となる緩やかな弧状であり、これら両者が、上側部分１３ｂよりも湾曲された弧状部分でつながっている。上側部分２８ｂの鉛直方向に対する傾斜は、下側部分２８ａよりも大きい。このため、閉脚状態では、後脚部２２の下端の前後幅が小さくなりコンパクトにできる。
【００２８】
第２脚部２９は長尺板材からなり、各後脚部２２の下部において、第１脚部２８に対して着脱可能に取り付けられている。第２脚部２９は、第１脚部２８に対する取付位置を調整可能になっている。後脚部２２の長さは、第２脚部２９の第１脚部２８に対する取付位置を変更することによって調整可能である。本実施形態では、第１脚部２８の下部の板面に、複数個のネジ孔３２が上下に並べて所定間隔で設けられている。これら複数個のネジ孔３２のいずれかに対して、第２脚部２９の板面に形成されたネジ孔３３が重なるように、かつトイレ本体部４０が所望の高さになるように、第２脚部２９を第１脚部２８の外側から位置決めした上でネジ止め等することにより後脚部２２の長さが調整される。
【００２９】
脚体部２０には、前脚部２１と後脚部２２との間において前後方向に架け渡された連結アーム３４が設けられている。ポータブルトイレ１０の開脚状態では、連結アーム３４により、前脚部２１の下部と後脚部２２の下部とがそれ以上離間しないように規制される。
【００３０】
＜接地面＞
脚体部２０の各脚の下面には、開脚状態での接地面である第１接地面３５と、閉脚状態での接地面である第２接地面３６と、が形成されている。本実施形態では、側方視において、第２脚部２４，２９の下面が第１脚部２３，２８の下面よりも下方に位置しており、第２脚部２４，２９側に第１接地面３５及び第２接地面３６が形成されている。
【００３１】
具体的には、図３に示すように、前脚部２１及び後脚部２２のそれぞれの下面には、第１面３７と、第１面３７に対し交差する角度をなす第２面３８と、が設けられている。第１面３７及び第２面３８は、前脚部２１及び後脚部２２のうち第２脚部２４，２９の下部に形成されている。第１面３７と第２面３８とは前後方向に隣接して配置されており、第２面３８は、第１面３７に対して前後方向の外側に配置されている。また、第１面３７は、第２面３８よりも面積が大きくなっている。
【００３２】
第１面３７及び第２面３８の下面には、長尺板状のゴム部材である脚ゴム３９が取り付けられている。脚ゴム３９は、前脚部２１及び後脚部２２のそれぞれの下面に対し、第１面３７と第２面３８とに跨って設けられている。脚ゴム３９は、第１面３７及び第２面３８の全面に配設されている。本実施形態では、前脚部２１及び後脚部２２のうち第２脚部２４，２９の下面が第１面３７及び第２面３８であり、第２脚部２４，２９の下面に脚ゴム３９が取り付けられている。脚ゴム３９の板面のうち、一方の面が、第１面３７及び第２面３８に当接される当接面であり、他方の面が、床面に接地される接地面（第１接地面３５及び第２接地面３６）である。
【００３３】
≪トイレ本体部４０≫
トイレ本体部４０は、各前脚部２１及び各後脚部２２で挟まれた位置に配置されている。トイレ本体部４０は、バケツ４１を受けることが可能な受け部５０と、受け部５０の上方に配置される便座６０と、便座６０の上方に重ねられて便座６０を覆う座部６５と、を備えている。
【００３４】
＜受け部５０＞
受け部５０は、本体フレーム５１と、バケツ４１を収容する収容部５２と、を備える。
（本体フレーム５１）
本体フレーム５１は、収容部５２を支持する部材であり、前後及び左右のそれぞれに上方に向けて立ち上がる側壁を有する平面視四角形の枠である。本体フレーム５１は、脚体部２０に対して回動可能に支持されている。
【００３５】
具体的には、図３に示すように、本体フレーム５１は、前脚部２１の高さ方向の中間部において、連結板５３を介して各前脚部２１に連結されている。連結板５３の一端は、本体フレーム５１の左右の側壁５１ａに回動軸を介して連結されており、他端は、前脚部２１の内側板面に回動軸を介して連結されている。本体フレーム５１は、連結部材５４を介して、各後脚部２２に回動可能に連結されている。連結部材５４は、上下方向に延びる形状を有する。連結部材５４の上端部は、本体フレーム５１の側面に回動軸を介して連結され、下端部は、ネジ止め等によって後脚部２２に固定されている。本体フレーム５１は、連結板５３及び連結部材５４のそれぞれの回動軸を軸として回動する。これにより、本体フレーム５１の姿勢が、本体フレーム５１が前後方向に延びる横向きの状態と、本体フレーム５１が上下方向に延びる縦向きの状態との間で変更される。
【００３６】
本体フレーム５１の側面には、本体フレーム５１が縦向きに配置された状態で連結部材５４の後面に当接する当接部（図示略）が設けられている。本体フレーム５１が縦向きに配置された状態では、連結部材５４の後面と当接部とが当接することにより、本体フレーム５１が縦向きに配置されたときに本体フレーム５１がそれ以上回動しないように、本体フレーム５１の回動が規制される。また、ポータブルトイレ１０には、開脚状態において本体フレーム５１の横向きの状態が保持されるように本体フレーム５１を支持する本体支持部５５が設けられている。
【００３７】
本体フレーム５１には、本体フレーム５１が縦向きに配置された状態を保持するストラップ５６が取り付けられている。なお、便宜上、図１にのみストラップ５６を図示している。本体フレーム５１が縦向きに配置された状態で、ストラップ５６の輪部５７を、脚体部２０の上部に設けられた掛け部５８に引っ掛けることにより、本体フレーム５１の下方への回動が規制され、本体フレーム５１が縦向きに配置された状態が保たれる。
【００３８】
（収容部５２）
収容部５２は、上部が開口した例えば樹脂製の箱型容器であり、バケツ４１を収容可能な大きさを有している。収容部５２は「汚水受け」とも称される。収容部５２は、本体フレーム５１の内側に配設され、その配設状態で着脱可能に支持されている。収容部５２の開口部には、開口部を覆うようにしてトレイ５９が配設されている。トレイ５９は「受け板」とも称される。収容部５２は、本体フレーム５１が横向きの状態では、開口部を上方に向けた状態で本体フレーム５１に支持される。収容部５２が本体フレーム５１に支持された状態で、本体フレーム５１が上方へ回動されて縦向きの状態になると、受け部５０が収容部５２の開口部を後方に向けた状態に変更される。
【００３９】
（バケツ４１）
バケツ４１は、使用者の排泄物を受ける例えば樹脂製の容器であり、上部が開口した有底の容器である。バケツ４１は「汚物受け」とも称される。バケツ４１は、その収容状態でバケツ上縁がトレイ５９の上面に引っ掛けられることで、トレイ５９に着脱可能に支持されている。バケツ４１の開口部４１ａには、開口部４１ａを覆う蓋（図示略）が上方から装着される。なお、トレイ５９が配設されていない場合には、例えば収容部５２の内部に設けられたバケツ固定部にバケツ４１を着脱可能に取り付けたり、あるいは、収容部５２の内部に設けられた引掛け部にバケツ４１を引っ掛けたりすればよい。
【００４０】
＜便座６０＞
便座６０は、開口部６１を有する樹脂製の部材であり、その開口部６１が、バケツ４１の開口部と重なるようにして、受け部５０の上方に配置される。便座６０は、後方位置に設けられたヒンジ６２を介してトレイ５９に取り付けられている。これにより、便座６０は、図１に示すように、収容部５２の上面に横向きに配置された状態と、図２に示すように、収容部５２の上方に縦向きに配置された状態との間で回動可能になっている。なお、便座６０をトレイ５９に取り付ける構成に代えて、収容部５２又は本体フレーム５１に取り付ける構成としてもよい。
【００４１】
＜座部６５＞
座部６５は、便座６０の上方に重ねられた状態で上面が座面として使用されるものである。本実施形態では、座部６５は、クッション性を有する材料により形成された矩形の部材である。座部６５は、本体フレーム５１にアーム６６を介して連結されることで、トイレ本体部４０の後方位置で上方へ回動可能に支持されている。この回動により、座部６５は、座部６５の上面が前後方向に延びている横向きの状態と、座部６５の上面が上下方向に延びている縦向きの状態との間で姿勢を変更可能になっている。座部６５を上方へ回動すると便座６０が露出し、トイレとしての使用状態となる。座部６５は、前部と後部との間で折り畳み可能になっており、トイレとしての使用状態では、折り畳まれた状態でトイレ本体部４０の後方位置に配置される。
【００４２】
≪その他の部材≫
ポータブルトイレ１０は、更に、着座した使用者の背中が当接される背もたれ部７１と、使用者の手や腕が載置される肘掛け部７２と、閉脚状態で受け部５０がバケツ４１を受けた状態を保持する保持部７３と、を備えている。
【００４３】
背もたれ部７１は、各前脚部２１の上端部の間に架け渡されている。背もたれ部７１は、開脚状態においてトイレ本体部４０の後方位置で上方に配置されている。本実施形態では、背もたれ部７１の下方には空間部が形成されており、この空間部に、前部と後部との間で折り畳まれた状態の座部６５を配置可能になっている。
【００４４】
肘掛け部７２は、長尺形状の肘掛け本体７４と、肘掛け本体７４を支持する肘掛け支持部７５と、を備えている。肘掛け支持部７５は、脚体部２０のうち前脚部２１の左右の外側板面に対して、取付位置を調整可能に取り付けられている。肘掛け支持部７５の後方上部には、肘掛け本体７４の一端がヒンジ７９を介して連結されている。これにより、肘掛け本体７４は、使用者が肘掛けとして使用可能に前後方向に延びる肘掛け状態（図２参照）から、先端部７４ａが下方に位置するように延びる収納状態（図５及び図６参照）へ、脚体部２０に対して回動可能に支持されている。肘掛け本体７４が収納状態にあるときには、図６に示すように、肘掛け本体７４の先端部７４ａが第２脚部２９の上部後方に位置している。図１には、肘掛け本体７４の先端部７４ａが上方に位置するように跳ね上げられた状態を示している。
【００４５】
肘掛け支持部７５の上面は、肘掛け本体７４の下面が当接される当接面となっており、その当接状態において肘掛け本体７４を下方から支持する。また、肘掛け本体７４の上面は、着座した使用者の手や腕が載置される載置面となっている。図１〜図６に示す例では、右側の肘掛け本体７４の下面に、下方に突出する支柱７６が設けられており、この支柱７６にトイレットペーパーホルダー７７が取り付けられている。符号７８は、肘掛け本体７４の下面と、肘掛け支持部７５の上面とをロック及びロック解除の間で切り替え可能なロック機構である。
【００４６】
保持部７３は、受け部５０に収容されたバケツ４１が開口部４１ａを後方に向けた状態となったときに、受け部５０がバケツ４１を受けた状態を保持する。トイレ本体部４０が縦向きに配置された状態では、保持部７３が座部６５を座面上方から押さえることにより、バケツ４１が後ろ方向に飛び出るのが抑制される。
【００４７】
≪ポータブルトイレ１０の動作≫
次に、ポータブルトイレ１０の動作について説明する。
【００４８】
上述したように、脚体部２０は、前脚部２１の下部と後脚部２２の下部とが離間した開脚状態から、前脚部２１の下部と後脚部２２の下部とが接近した閉脚状態へ折り畳み可能である。また、トイレ本体部４０においては、本体フレーム５１が脚体部２０に回動可能に支持されており、受け部５０がバケツ４１の開口部４１ａを上方に向けた状態でバケツ４１を受ける横向きの状態と、受け部５０がバケツ４１の開口部４１ａを後方に向けた状態でバケツ４１を受ける縦向きの状態との間で変更可能である。本実施形態では、トイレ本体部４０が横向きの状態から縦向きの状態になる動作と、脚体部２０が開脚状態から閉脚状態になる動作とが連動して行われる。
【００４９】
具体的には、本体フレーム５１が上方に回動されて縦向きの配置になると、それに連動して、前脚部２１の下部と後脚部２２の下部とが互いに引き寄せられ、前脚部２１の下部と後脚部２２の下部とが接近する。その結果、ポータブルトイレ１０は、図５及び図６に示す折り畳み状態となる。ポータブルトイレ１０が折り畳まれた状態では、脚体部２０の各脚の第２接地面３６が床面に対してそれぞれ接地されることにより、バケツ４１や収容部５２を備えたままの状態で安定して自立する。このとき、バケツ４１や収容部５２を取り外さずにポータブルトイレ１０を折り畳み状態とすることが可能である。
【００５０】
ポータブルトイレ１０を折り畳む際には、使用者や介助者は、まず、便座６０及び座部６５を受け部５０の上方に重ねた状態とする。続いて、肘掛け本体７４の先端部７４ａが下方に位置するように肘掛け本体７４を回動させる。次に、使用者等は、背もたれ部７１とトイレ本体部４０の前方とを接近させるようにトイレ本体部４０を上方へ回動させる。この動作により、トイレ本体部４０が縦向きになるとともに、トイレ本体部４０の回動に連動して脚体部２０が開脚状態から閉脚状態に折り畳まれる。ポータブルトイレ１０が折り畳まれた状態でストラップ５６を掛け部５８に引っ掛けることにより、折り畳み状態が安定に保持される。
【００５１】
折り畳み状態のポータブルトイレ１０を使用状態にする際には、使用者や介助者は、まず、ストラップ５６を掛け部５８から取り外す。次に、背もたれ部７１と本体フレーム５１の前方とを離間させるように、トイレ本体部４０を下方へ回動させる。この動作により、トイレ本体部４０が横向きになるとともに、トイレ本体部４０の回動に連動して脚体部２０が前後方向に開く。開脚後には、自重により、便座６０及び座部６５が受け部５０の上方に重ねられた状態が自然に形成される。したがって、開脚後には直ちに椅子として機能させることができる。また、座部６５を回動させて後方へ退避させれば、トイレとして機能させることができる。
【００５２】
≪脚体部２０の下部の構成≫
次に、脚体部２０の下部の構成について詳しく説明する。図１〜図６に示すように、ポータブルトイレ１０には、床面に対してポータブルトイレ１０を移動させるためのキャスタ機構８０が設けられている。本実施形態では、脚体部２０にキャスタ機構８０が設けられている。
【００５３】
キャスタ機構８０は、脚体部２０のうち各後脚部２２の下部に設けられている。本実施形態では、脚体部２０の下部のうち前後方向の外側、つまり後脚部２２の後方にキャスタ機構８０が設けられている。図６及び図７に示すように、キャスタ機構８０は、車輪８１と、車輪８１を支持するブラケット８２と、を備えている。車輪８１は、例えばゴム製や樹脂製であり、軸方向を前後方向とする回転軸８３を中心として、左右方向に回転可能になっている。
【００５４】
ブラケット８２は、例えば金属製であり、前後一対の側板８２ａと、各側板８２ａの上端を連結する上板８２ｂと、上板８２ｂの左右端部から立ち上がる一対の立ち板８２ｃと、を有している。側板８２ａの板面には貫通穴が形成されており、貫通穴に回転軸８３が回転可能に保持されている。立ち板８２ｃの板面にはネジ穴が形成されており、立ち板８２ｃが後脚部２２の板面にねじネジ止め等されることにより、キャスタ機構８０が後脚部２２に固定されている。
【００５５】
キャスタ機構８０は、後脚部２２のうち第２脚部２９に取り付けられている。図３に示すように、第２脚部２９は、第１脚部２８に装着された状態で、第２接地面３６よりも上方において後方に向けて突出する第１突出部２９ａと、第１突出部２９ａの前方において下方に向けて突出する第２突出部２９ｋと、を有している。キャスタ機構８０は、第２脚部２９において第１突出部２９ａの下方に配設されている。
【００５６】
第１突出部２９ａは、第１脚部２８に装着された状態で、第１脚部２８の後面よりも後方へ突出している。第１突出部２９ａの下面２９ｂは、第１接地面３５及び第２接地面３６よりも上方に位置している。下面２９ｂは、前後方向に延びる平坦面であり、詳しくは、図３に示すように、後方に向けて斜め上方に延びている。キャスタ機構８０は、車輪８１の径方向と下面２９ｂとが直交するように下面２９ｂに対して取り付けられている。
【００５７】
車輪８１は、第１突出部２９ａによって車輪８１の上方が覆われている。詳しくは、車輪８１の全体が第１突出部２９ａの下方に入り込んだ状態となっている。車輪８１は、下面２９ｂによって車輪８１の上方が覆われるように、ブラケット８２によって下面２９ｂから吊り下げ支持されている。また、車輪８１は、下面２９ｂから後方に向けて斜め下方に突出するように配置されている。車輪８１の接地面８１ａは、後方に向けて斜め上方に延びており、具体的には、第２接地面３６が前後に延びる方向に対して所定角度θ（例えば５〜６°）だけ上方に傾斜している。開脚状態において側面視したとき、車輪８１の下端は車輪８１の上端よりも後方に位置している。
【００５８】
第２突出部２９ｋは、第１脚部２８に装着された状態で、第２脚部２９において前後方向の内側に配置されている。本実施形態では、第２突出部２９ｋは、第１突出部２９ａよりも前方に位置している。第２突出部２９ｋの下面には脚ゴム３９が取り付けられており、脚ゴム３９の板面のうち第２突出部２９ｋに当接する面とは反対の面が、床面に接地される接地面（第１接地面３５及び第２接地面３６）となっている。キャスタ機構８０は、第２突出部２９ｋの後方に配設されている。車輪８１は、第２突出部２９ｋによってその前方が覆われている。
【００５９】
第１突出部２９ａの上面２９ｃは、下方へ凸となる湾曲した形状を有している。詳しくは、上面２９ｃは、下方へ行くほど後方へ位置する湾曲形状となっている。図７に示すように、第１突出部２９ａは、上側部分２９ｆと、中間部分２９ｇと、下側部分２９ｈとを有しており、これらが弧状につながっている。開脚状態で側方視したとき、中間部分２９ｇは上側部分２９ｆよりも緩やかな弧状となっており、下側部分２９ｈは中間部分２９ｇよりも湾曲された弧状となっている。これにより、第１突出部２９ａは、下面２９ｂに取り付けられた車輪８１の上方を覆うように後方への突出長さを十分に確保しながら、その上面２９ｃが角張っていないなだらかな形状となっている。
【００６０】
上面２９ｃのうち下側部分２９ｈは、上側部分２９ｆよりも湾曲された弧状となっている。これにより、第１突出部２９ａの下方に車輪８１を配置する空間を確保しつつ、第１突出部２９ａの下部が後方へ大きく突出しないようになっている。下側部分２９ｈは、下側部分２９ｈよりも湾曲された弧状部分で下面２９ｂとつながっている。第１突出部２９ａの後端下部は、丸みを帯びた形状となっており、使用者等の足や物が引っ掛かりにくくなっている。
【００６１】
なお、本実施形態では、第２脚部２９が、「車輪８１が取り付けられている取付け部」に相当する。つまり、キャスタ機構８０が第２脚部２９に取り付けられていることにより、車輪８１がポータブルトイレ１０に対して着脱可能になっている。
【００６２】
車輪８１の少なくとも一部は、左側の脚体部２０の左側端部２０Ｌと、右側の脚体部２０の右側端部２０Ｒとの間に配置されている。本実施形態では、車輪８１のほぼ全体が左側端部２０Ｌと右側端部２０Ｒとの間に配置されている。これにより、トイレ後方に回った介助者等が車輪８１に足を引っ掛かりにくくなっている。
【００６３】
図３及び図６に示すように、ポータブルトイレ１０においては、開脚状態の車輪８１の下端位置が、閉脚状態での車輪８１の下端位置よりも、床面から上方へ離れた位置となっている。本実施形態では、開脚状態及び閉脚状態の双方において、車輪８１の下端が床面から離間している。具体的には、開脚状態では、第１接地面３５が床面に接地し、図３に示すように、車輪８１の下端は、第１接地面３５よりも第１高さＤ１だけ上方に位置している。一方、閉脚状態では、第２接地面３６が床面に接地し、図６に示すように、車輪８１の下端は、接地面、すなわち第２接地面３６に対して、第１高さＤ１よりも低い第２高さＤ２だけ上方に位置している。
【００６４】
≪キャスタ機構８０の作用≫
次に、キャスタ機構８０の作用について図８を用いて説明する。図８中、（ａ）はポータブルトイレ１０が折り畳まれて自立している状態、（ｂ）はポータブルトイレ１０が折り畳み状態から使用状態へ変更される途中の状態、（ｃ）はポータブルトイレ１０の使用状態、（ｄ）は折り畳み状態のポータブルトイレ１０において車輪を床面Ｇに接地させた状態をそれぞれ示している。
【００６５】
ポータブルトイレ１０が折り畳み状態で自立しているときには、図８（ａ）に示すように、第２接地面３６が床面Ｇに接地された状態となる。この場合、車輪８１の下端位置は床面Ｇに近接しており、床面Ｇから第２高さＤ２だけ離れた位置となる。ポータブルトイレ１０が折り畳み状態から使用状態に変更されると、脚体部２０と床面Ｇとの接地面が第２接地面３６から第１接地面３５になるとともに、車輪８１の下端が床面Ｇからさらに離間する（Ｄ１＞Ｄ３＞Ｄ２）。そして、使用状態のポータブルトイレ１０において、車輪８１の下端位置は、図８（ｃ）に示すように、折り畳み状態での車輪８１の下端位置よりも、床面Ｇから上方へ離れた位置となる。このため、ポータブルトイレ１０を使用するときには、車輪８１が床面Ｇと干渉しにくい。これにより、ポータブルトイレ１０の安定性を高めることができ、ポータブルトイレ１０を安全に使用することができる。
【００６６】
また、折り畳み状態のポータブルトイレ１０を移動させる際には、使用者はまず、折り畳み状態のポータブルトイレ１０の上部を後方に傾倒させて、左右の車輪８１を床面Ｇに接地させる。そして、車輪８１を接地させた状態でポータブルトイレ１０を左右方向に動かし、目的の位置までポータブルトイレ１０を移動させる。ポータブルトイレ１０が折り畳み状態にあるときには、トイレとしての使用状態のときよりも車輪８１が床面Ｇに近い位置にある。このため、ポータブルトイレ１０の移動時には、使用者は、折り畳み状態のポータブルトイレ１０の上部を大きく後方に傾倒させなくても、車輪８１を床面Ｇに接地させることが可能である。したがって、ポータブルトイレ１０の移動中はポータブルトイレ１０をさほど傾倒させずに済み、ポータブルトイレ１０がバランスを崩して倒れてしまうのを抑制しながら、ポータブルトイレ１０を安定にかつスムーズに移動させることが可能である。
【００６７】
≪第１突出部２９ａの作用≫
次に、第１突出部２９ａの作用について、図９を用いて説明する。図９中、（ａ）はポータブルトイレ１０が折り畳まれて自立している状態、（ｂ）はポータブルトイレ１０が折り畳み状態から使用状態へ変更される途中の状態、（ｃ）はポータブルトイレ１０の使用状態をそれぞれ示している。
【００６８】
肘掛け本体７４が収納状態にあって、かつ脚体部２０が閉脚状態にある状態（図９（ａ）の状態）からトイレとしての使用状態にする際には、後脚部２２が後方へ開くのに伴い、肘掛け本体７４の先端部７４ａが突出部２９ａの上面２９ｃに接触する（図９（ｂ）の状態）。第１突出部２９ａの上面２９ｃは、下方へ凸の湾曲した形状を有している。そのため、収納状態の肘掛け本体７４の先端部７４ａが後脚部２２に干渉しにくく、後脚部２２の開脚動作がスムーズに行われる。また、先端部７４ａが上面２９ｃに接触している状態において、後脚部２２がさらに後方へ開くことにより、肘掛け本体７４の上方への回動が補助される。具体的には、突出部２９ａの上面２９ｃが先端部７４ａを後方へ押しやることにより、肘掛け本体７４が、上下方向に延びた状態から斜め後方に延びた状態となる。このため、使用者や介助者は、ポータブルトイレ１０を使用状態にする際に身体を大きく低めなくても、肘掛け本体７４を肘掛け状態に変更することができる。
【００６９】
以上詳述した本実施形態の構成によれば、以下の優れた効果が得られる。
【００７０】
ポータブルトイレ１０には、床面Ｇに対してポータブルトイレ１０を移動させるための車輪８１が設けられているため、車輪８１の回転によってポータブルトイレ１０を容易に移動させることができる。また、開脚状態での車輪８１の下端位置が、閉脚状態での車輪８１の下端位置よりも、床面Ｇから上方へ離れた位置となるため、トイレとしての使用時には、車輪８１を床面Ｇに干渉しにくく、トイレとしての使用時の安定性を高めることができる。また、折り畳み状態でポータブルトイレ１０を移動させる際には、車輪８１を床面Ｇに接地させやすいため、ポータブルトイレ１０をさほど傾倒させずに済む。これにより、ポータブルトイレ１０が倒れることを抑制しながら、安定にポータブルトイレ１０を移動させることができる。
【００７１】
車輪８１の回転方向が左右方向であるため、ポータブルトイレ１０を折り畳んだ状態で左右方向に移動させることができる。これにより、車輪８１の回転を利用してポータブルトイレ１０を床面Ｇに対して移動させながら、狭い隙間にもポータブルトイレ１０を収納することができる。
【００７２】
ポータブルトイレ１０の閉脚状態において、前脚部２１と後脚部２２とで自立可能であり、かつ自立した状態において車輪８１が床面Ｇから離間している構成とした。この構成では、ポータブルトイレ１０が自立している状態では車輪８１が床面Ｇから浮いているため、自立した状態のポータブルトイレ１０が不用意に移動したり倒れたりしないようにすることができる。これにより、ポータブルトイレ１０が自立している状態での安定性をより高くすることができる。また、開脚状態から閉脚状態にする過程において、車輪８１が床面Ｇから浮いた状態が保持されるため、ポータブルトイレ１０を折り畳む際に車輪８１によって床面Ｇを傷つけないようにすることができる。
【００７３】
脚体部２０のうち後脚部２２の下部に車輪８１を設けた。この構成によれば、車輪付きの折り畳み式ポータブルトイレにおいて、車輪８１がトイレの使用者や介助者に干渉しにくくすることができる。したがって、トイレの使用者や介助者の足に車輪が引っ掛かりにくく、車輪８１が邪魔になったり破損したりするのを抑制することができる。また、後脚部２２に車輪８１が設けられているため、トイレの前方からは車輪８１が目立ちにくく、外観も良好である。
【００７４】
また、ポータブルトイレ１０を折り畳む際のトイレ本体部４０の回動方向と、折り畳み状態のポータブルトイレ１０を移動させるときのポータブルトイレ１０の傾倒方向とが同じ方向（本実施形態では後ろ方向）であるため、折り畳み状態のポータブルトイレ１０の移動中にトイレ本体部４０が開いて前方に飛び出るのを抑制することができる。
【００７５】
脚体部２０のうち、後脚部２２の下部のみに車輪８１を設け、前脚部２１の下部には車輪８１を設けていないことから、前脚部２１の下部に、より広い空間を確保することができる。これにより、トイレの使用者や介助者がスムーズに動作することができる。
【００７６】
後脚部２２の下部の後方部に車輪８１を取り付けたため、ポータブルトイレ１０を後方に傾倒させることによって車輪８１を床面Ｇに接地させることができる。これにより、ポータブルトイレ１０の移動時には、ポータブルトイレ１０をわざわざ持ち上げなくてもよく、使用者や介助者に掛かる負荷を軽減することができる。
【００７７】
後脚部２２のうち、ポータブルトイレ１０に対して着脱可能な第２脚部２９に車輪８１を取り付ける構成とした。この構成によれば、ポータブルトイレ１０に対して、車輪８１を容易に取り外し及び取り付けが可能であるため、ポータブルトイレ１０を車輪付きにするか、それとも車輪なしにするかを、使用者が自身のニーズに応じて選択可能にすることができる。また、後脚部２２の第２脚部２９以外については、ポータブルトイレ１０の車輪８１の有無に関わらず同一の構成とすることができる。よって、車輪付きのポータブルトイレ１０を提供するのにあたり、第２脚部２９のみを変更すればよく、製造コストの増大を抑えながら多様なポータブルトイレ１０を提供することができる。
【００７８】
脚体部２０の長さ調整用の部材である第２脚部２９に車輪８１が取り付けられているため、脚体部２０の長さ調整を行っても、開脚状態での車輪８１の下端位置が、閉脚状態のときよりも床面Ｇから上方へ離れた位置となる関係を保持することができる。また、第２脚部２９に車輪８１が直接取り付けられているため、車輪取付け用の部材を別途設けなくて済む。よって、部品数をできるだけ少なくすることができる。
【００７９】
第２脚部２９の上面において後方に向けて突出する第１突出部２９ａが形成されており、第１突出部２９ａによって車輪８１の上方が覆われるようにした。この構成によれば、使用者や介助者の足が車輪８１に引っ掛かったり、車輪８１に物が当たったりしないようにすることができる。また、第１突出部２９ａによって車輪８１が外部から目立ちにくくなり、外観も良好である。
【００８０】
突出部２９ａの上面２９ｃが下方へ凸の湾曲した形状を有するため、ポータブルトイレ１０を閉脚状態から開脚状態に変更させる際に、収納状態の肘掛け本体７４が後脚部２２に干渉しないようにすることができる。また、肘掛け本体７４の先端部が、後脚部２２のうち第２脚部２９の上面２９ｃに接触しながら閉脚状態から開脚状態に変更されるため、開脚動作に付随させて、肘掛け本体７４の収納状態から肘掛け状態への変更を補助することができる。特に、本実施形態のポータブルトイレ１０は、第２脚部２９の取付位置によってトイレ本体部４０の高さを調整可能であり、トイレ本体部４０の高さを低くした場合には、肘掛け本体７４の先端部７４ａと突出部２９ａとがより干渉しやすくなる。したがって、上記効果を好適に得ることができる。
【００８１】
車輪８１の接地面８１ａを、第２接地面３６が前後に延びる方向に対して所定角度θだけ上方に傾斜させたため、折り畳み状態のポータブルトイレ１０を後方に傾斜させることによって、車輪８１が接地されてポータブルトイレ１０を移動させることができる。また、折り畳み状態のポータブルトイレ１０が不意に動きにくくなる。
【００８２】
（他の実施形態）
本発明は上記実施形態の内容に限定されず、例えば以下のように構成してもよい。
【００８３】
・上記実施形態では、後脚部２２の第２脚部２９に車輪８１を設けたが、図１０に示すように、車輪８１を有する第３脚部９０を第２脚部２９に取り付ける構成としてもよい。この構成によれば、脚体部２０の長さ調整を行っても、開脚状態での車輪８１の下端位置が、閉脚状態での車輪８１の下端位置よりも床面Ｇから上方へ離れた位置となる関係を保持することができる。また、脚体部２０の長さ調整用の部材とは別の部材に車輪８１が取り付けられているため、長さ調整用の部材に対して車輪８１を後付けすることができる。図１０の例では、後脚部２２の第２脚部２９の外側側面に、取付け部として、キャスタ機構８０を有する第３脚部９０が取り付けられている。第３脚部９０には、後方へ突出する突出部９０ａが設けられている。突出部９０ａの上面は、下方へ凸となる湾曲した形状を有している。これにより、ポータブルトイレ１０を閉脚状態から開脚状態にする際に、収納状態の肘掛け本体７４の先端部７４ａが後脚部２２に干渉しないようになっている。なお、図１０に示す例においても、上記実施形態と同様に、車輪８１の接地面を、第２接地面３６が前後に延びる方向に対して所定角度だけ上方に傾斜させてもよい。この場合、折り畳み状態のポータブルトイレ１０が不意に動きにくくなる点で好適である。
【００８４】
・第３脚部９０は、第２脚部２９の外側側面に取り付けられる構成に限らず、左右の第２脚部２９を連結する連結部材としてもよい。具体的には、車輪８１が取り付けた長尺板状の連結部材を、第２脚部２９の突出部２９ａに対して着脱可能に取り付ける構成としてもよい。
【００８５】
・車輪８１の取付位置は、後脚部２２の下部に限定されない。例えば図１１に示すように、後脚部２２の左右の第１脚部２８を連結する板状の連結部３１にキャスタ機構８０を取り付ける構成としてもよい。図１１において、車輪８１は、その下端が連結部３１から後方へオフセットされている。車輪８１の下端は床面から離間している。
【００８６】
詳しくは、連結部３１は、その板面が後方へ傾斜するように左右の後脚部２２の間に架け渡されている。連結部３１の板面はキャスタ機構８０の取付け面となっており、ブラケット８２の左右の立ち板８２ｃが連結部３１の板面を前後に挟むようにしてネジ止め等されている。車輪８１の径方向は、連結部３１の板面の傾斜方向となっている。車輪８１の下端位置は、ブラケット８２の上板８２ｂ、すなわち連結部３１の下面に対して斜め下方に位置している。ポータブルトイレ１０が開脚状態から閉脚状態にされると、前脚部２１と後脚部２２とが前後に並んで略平行に配置される。これにより、閉脚状態での車輪８１の下端位置は、開脚状態での車輪８１の下端位置よりも床面Ｇにより近い位置か又は床面に接触した状態となる。つまり、閉脚状態での車輪８１の下端位置よりも、開脚状態での車輪８１の下端位置の方が、床面Ｇから上方へ離れた位置となる。ポータブルトイレ１０を折り畳んだ状態で移動させるときには、ポータブルトイレ１０の上部を後方に傾倒させて後脚部２２の下面を床面Ｇから離間させるとともに、車輪８１を床面Ｇに接地させた状態とする。
【００８７】
・連結部３１に車輪８１を取り付ける構成において、図１１に示すように、床面Ｇに対する車輪８１の高さ位置を調整可能な高さ調整部８４が設けられているとよい。この場合、トイレとしての使用時には車輪８１を床面Ｇに干渉しにくくし、一方、折り畳み状態では車輪８１を床面Ｇにより接地させやすくすることができる。具体的には、高さ調整部８４は、連結部３１と車輪８１の上端との間の長さを、第１長さと、第１長さよりも長い第２長さとの間で切り替え可能な切替機構を備えている。使用者や介助者は、トイレとしての使用時には、高さ調整部８４を操作して、連結部３１と車輪８１の上端との間の長さを第１長さとする。これにより、床面Ｇに対する車輪８１の高さ位置を所定の収納位置とする。また、ポータブルトイレ１０の移動時には、高さ調整部８４を操作して、連結部３１と車輪８１の上端との間の長さを第２長さとする。これにより、車輪８１の高さ位置を所定の収納位置よりも下方とする。
【００８８】
・車輪８１の取付位置については、図１２に示すように、脚体部２０のうち前脚部２１の下部に車輪８１を設けてもよい。特に、折り畳み動作時にはトイレ本体部４０の後部を上方に回動させ、折り畳み状態では座部６５の座面が前方を向いた状態となるポータブルトイレに好適である。この場合、ポータブルトイレ１０を折り畳む際のトイレ本体部４０の回動方向と、折り畳み状態のポータブルトイレ１０を移動させるときのポータブルトイレ１０の傾倒方向とを同じ方向（本実施形態では前方）となるため、折り畳み状態のポータブルトイレ１０の移動中にトイレ本体部４０が開くのを抑制することができる。キャスタ機構８０を前脚部２１に設ける場合には、前方に向けて前脚部２１から突出する突出部２４ａを設け、突出部２４ａによって車輪８１の上方が覆われるようにするとよい。また、車輪８１を前脚部２１の下部及び後脚部２２の下部の両方に設けてもよい。
【００８９】
・上記実施形態では、車輪８１を後脚部２２の下部後方に取り付けたが、脚体部２０の下端に車輪８１を内蔵させてもよい。この場合、車輪８１が外部からさらに目立ちにくく、見た目が一層良好である。例えば、図１３及び図１４に示すように、後脚部２２の下端において第２接地面３６側にキャスタ機構８０が内蔵された構成とする。なお、図１３及び図１４には、接地面に脚ゴムが取り付けられていない例を示したが、車輪８１が床面Ｇに接地可能であれば、接地面に脚ゴムが取り付けられていてもよい。
【００９０】
内蔵型のキャスタ機構８０の構成及び作用について、図１４を用いて説明する。図１４中、（ａ）はポータブルトイレ１０が折り畳まれて自立している状態、（ｂ）はポータブルトイレ１０の使用状態、（ｃ）は折り畳み状態のポータブルトイレ１０を移動させているときの状態をそれぞれ示している。図１４に示すように、キャスタ機構８０は、後脚部２２の下端のうち第２接地面３６において開口する収容溝２９ｄに配設されている。収容溝２９ｄは、左右方向に延びるように形成されている。キャスタ機構８０は、車輪８１の回転方向が左右方向になるように収容溝２９ｄに配設されている。
【００９１】
キャスタ機構８０は、収容溝２９ｄの上面に取り付けられた弾性部材（例えば板ばね）８５により吊り下げ支持されている。収容溝２９ｄの側面には、上下方向に延びるガイド溝２９ｅが前後方向にそれぞれ形成されている。車輪８１は、回転軸８３を前後方向に向けた状態で配置されている。車輪８１の回転軸８３の両端は、前後のガイド溝２９ｅにそれぞれ収容されており、弾性部材８５の付勢力により上下方向にガイドされる。
【００９２】
ポータブルトイレ１０が折り畳み状態で自立しているときには、図１４（ａ）に示すように、第２接地面３６が床面Ｇに接地される。このとき、第２接地面３６が弾性部材８５の付勢力に抗して接地されることで、車輪８１全体が収容溝２９ｄに収容される。これにより、車輪８１が床面Ｇに接地している状態となる。一方、ポータブルトイレ１０が開脚されて使用状態に変更されると、図１４（ｂ）に示すように、第１接地面３５が床面Ｇに接地され、第２接地面３６は床面Ｇから離間する。また、車輪８１は、弾性部材８５の付勢力により下方へ移動し、車輪８１の一部が収容溝２９ｄから露出する。このとき、車輪８１は床面Ｇから浮いた状態となる。本実施形態では、車輪８１の下端は、第１高さＤ１だけ上方に位置している。このため、開脚状態での車輪８１の下端位置は、閉脚状態での車輪８１の下端位置よりも床面Ｇから上方へ離れた位置となる。折り畳み状態のポータブルトイレ１０を移動させるには、ポータブルトイレ１０を僅かに上方に持ち上げて、第２接地面３６を床面Ｇから離間させる。これにより、図１４（ｃ）に示すように、車輪８１が弾性部材８５の付勢力により下方へ移動し、車輪８１の一部が収容溝２９ｄから露出する。これにより、車輪８１の左右方向への回転が許容され、車輪８１の回転を利用してポータブルトイレ１０を移動させることができる。
【００９３】
上記実施形態では、後脚部２２の第２脚部２９にキャスタ機構８０を設けたが、第１脚部２８にキャスタ機構８０を設けてもよい。具体的には、例えば、第２脚部２９に代えて、第１脚部２８の前後方向の外側に、後方へ突出する突出部を設ける。この突出部に対してキャスタ機構８０を取り付ける。
【００９４】
・車輪８１の回転方向を、左右方向に代えて前後方向としてもよい。また、車輪８１が左右方向及び前後方向に回転可能であることにより、ポータブルトイレ１０を車輪８１の回転によって全方向に移動自在なようにしてもよい。
【００９５】
・上記実施形態では、ポータブルトイレ１０が自立した状態では車輪８１が床面Ｇから離間している構成としたが、ポータブルトイレ１０が自立した状態において、車輪８１が床面Ｇに接地している構成としてもよい。
【００９６】
・上記実施形態では、前脚部２１の外側板面における高さ方向の中間位置に、後脚部２２の上端部を回動可能に取り付ける構成としたが、後脚部２２の取付位置はこれに限定されない。例えば、前脚部２１の内側板面における高さ方向の中間位置に、後脚部２２の上端部を取り付けてもよい。また、後脚部２２の上端部を本体フレーム５１に対して取り付けてもよい。
【００９７】
・上記実施形態では、第１接地面３５を前後方向の内側に配置し、第２接地面３６を前後方向の外側に配置したが、逆の配置であってもよい。つまり、第１接地面３５を前後方向の外側に配置し、第２接地面３６を前後方向の内側に配置してもよい。また、第１接地面３５と第２接地面３６との面積比は上記実施形態のものに限定されず、第１接地面３５と第２接地面３６とを同じ大きさとしてもよいし、あるいは第２接地面３６を第１接地面３５よりも大きくしてもよい。
【符号の説明】
【００９８】
１０…ポータブルトイレ、２０…脚体部、２１…前脚部、２２…後脚部、２３，２８…第１脚部、２４，２９…第２脚部、２９ａ…第１突出部、２９ｋ…第２突出部、３５…第１接地面、３６…第２接地面、４０…トイレ本体部、４１…バケツ、５０…受け部、５１…本体フレーム、５２…収容部、６０…便座、６５…座部、７２…肘掛け部、７４…肘掛け本体、８０…キャスタ機構、８１…車輪。
【図１】
2018171355.tif 000003
【図２】
2018171355.tif 000004
【図３】
2018171355.tif 000005
【図４】
2018171355.tif 000006
【図５】
2018171355.tif 000007
【図６】
2018171355.tif 000008
【図７】
2018171355.tif 000009
【図８】
2018171355.tif 000010
【図９】
2018171355.tif 000011
【図１０】
2018171355.tif 000012
【図１１】
2018171355.tif 000013
【図１２】
2018171355.tif 000014
【図１３】
2018171355.tif 000015
【図１４】
2018171355.tif 000016